(57)【要約】      （修正有）【課題】患者さんを自動・反転しえる、低格の床ずれ用具を提供する。【解決手段】合成樹脂シートのような軟質材よりなる２本の空気袋１，２を通路３で連通し、電気モーターで袋の一部分を押圧する押圧部材を両袋に装置した空気袋１、２を並列一体に結合させて寝具を形成しする。設定された時間配分をタイマーでモーターを作動させると、押圧部材が膨張側袋内の空気を押圧し  空気を反対側へ流入させ反対側袋を膨張させる。かくして患者は反対傾斜となる。【選択図】図１
2008259782.tif 000002
【特許請求の範囲】
【請求項１】
１体に結合した、２本の、空気袋により、寝具を形成し、両空気袋を、狭い空気通路で連通して成る、床ずれ防止寝具に。電気モーター、トルクで、充満した方の袋の一部分に、押圧部材を両袋に装置して、設定された時間配分を、タイマーより、モーターえ流し、膨張側の袋内の空気を、反対側流入し、後、患者自身の、体重により、反対側袋を膨張させて、患者を反対傾斜させる、床ずれ防止効果を特徴とする用具。
【請求項２】
本案の効果を確実にする為、身体の頭部から足部に向かつての、中心線が、本用具の両袋の接合線と一致するよう、マジック・テーフ。を利用し、身体のズレを防いだ。
人体には、背おい式の背の面に、テープを貼り付け、合いてのテープを、袋の左右貼りつけ、身体中心線の上部が、袋側と一致するようにした。
【発明の詳細な説明】
【技術分野】
【０００１】本発明は床ずれ防止用具の改良に関する。
【背景技術】
【０００２】老人介護の内、床ずれの患者の増加が社会問題化しており、又半面昔から有名な施設の、副園長は私の所てわ、こまめに、寝がえり、させているので、患者は一人も、いないとの事でした。一般には、マットタイプが多く、中には、寝がえりを、含めた、タイプもあり、５体それぞれ、上下している様です。
【発明の開示】
【発明が解決しようとする課題】
【０００３】以上に述べた従来の、床ずれ防止手段では満足し得ない、課題乃ち、患者をタイマーか設定した、発信に従って、患者を約６０度反対傾斜に自動反復し、床ずれ防止の効果を確実にして行く事が課題。
【課題を解決するための手段】
【０００４】床ずれ炎症状態には、寝たきりの方、即ち自分で、自由に体位を変えられず。従って、介護の方に体位を変えているのを。電動タイマーに、作動時を設定し、２個の小型モーターの内、タイマーより、指示された側のモーターが始動し、モーター軸に固定した、部材の、先端部からのワイヤーが、一つの空気袋下面に至り、滑車を経て９０度曲がって袋内に入り、空気袋上に、固定された、押圧板に固定される。尚モーターその他を収納した、ケースと両袋部材とは、着脱自在に基板に取り付けられる。以上記しました内容は、従来の床ずれ用具の思想から、全く変わった、思想で発明ざれた物です。第一に、エアーポンプ・ホースを使わず。作動タイムは、約２時間毎に１分、依って、ポンプ・ホースからの騒音がなく、温度上昇も無いので。全体の、コスト安の為、収納ケースを枕位置の上位置にした。依って課題を解決する手段とした。
【発明の効果】
【０００５】上述したように、本発明の床ずれ防止装置は、従来の構想にとらわれず、的確に床ずれ防止の効果が期待出来る。【０００６】用具がマット型の様に厚く成らず、患者が柵を越える心配もなく安全です。【０００７】                                                  （１）
患者の縦の中心線は、両袋の合わせ線に、合致する様。マジックテープを利用、即ち、身体側と袋側に、それぞれはる。又腰足付近には、床ずれ防止に定評のある、ムートン毛皮バンドで軽く止め、足・腰を定置させる。尚バンドを外した際は、モーターは停止。【０００８】モーターは、１回転、１分、シンクロナス、２・５ワット、タイマーは柱時計用を利用、単２を１本、一回転１２時間全体を低価格にまとめ、発明の効果を高めた
【発明を実施するための最良の形態】
【０００９】
【００１０】以下本発明の、実施の形態を図１〜図５に基づいて説明する。【００１１】図において１は本発明の全体の平面図にして。以下本発明の実施例を説明する。本用具は、合成樹脂シートのような、軟質材よりなり、袋部１が２つ並列に形成１・２、の両空気袋を狭い空気通路３で連通４して、適時患者５を自動反対傾斜させる。【００１２】図１の左部分６は薄いマット状に、患者、の腰下部分７を、身体の中心８からスレ無いよう保持バンド９を設け、治療手段とした。【００１３】空気袋の右部分  は、薄いマット状１０で、患者さんの、枕位置１１になりマット右端にわ、本用具の、モーター１２その他作動部材を納めた、ケース１３が、基板１４に依って、袋部材と、着脱自在に結合、又ワイヤー２本１５が、モーターから、引き綱となる。【００１４】図２於いては、患者が、本発明の、傾斜時を示しました、床ずれ防止の、確実性の一つとして、傾斜横寝を示した。【００１５】図３に示すマヂックテープ１６の使用は、テープを剥がすのに、容易てすが、２枚の内１枚を、横に引いては、剥がせません。この特長を利用、即ち、作動中その他、患者さんが、ずれ外れ無いよう保持し、寝がうり動作を確実化した。尚患者さんが、何かで離れる場合は容易に外せる。図３は布材１７に、マジックテープ１８の片面を張り付け、背負い紐などで装着する。【００１６】本発明の平面片側拡大で示す４図右端にある本発明の、作動部材を、収納するケース１３には、タイマー２０・モーター２個・２１・トグルスイッチ１個２２があって、それぞれ、電源いれ、指示を受けて作動する。【００１７】空気は、本用具の使用始の際、左右適量にするのに狭い通路  ３を停止板２４を回し止め、片側の袋へ、空気をパンパンに入れる、袋本体の空気栓を、しっかり差し込み、狭い通路  ３の停止板２４を外す。【００１８】作動部材入りケースのタイマー２５は、柱時計用で１２時間で１回転です、それなりのトルクがあり、２個のモーターへ２６・２７へ順次配電していく。モーター軸に、固定された、作動片２８は、ワイヤー２９を引く、自由接続に有って、１回転近く、成りますと、先端部が、トグルスイッチ３０のピン軸を押し、反対側に倒し、、電気の流れを、他のモーターに移し、作動片２８は、軸との、遊びがあって、スタートの姿勢になる。【００１９】基板３１の片方、右は、本用具の作動部材を納めた、ケース３２に着脱自由に有って、他端との、中間に、板材３５が袋材を基板３１と挟んで。ネジ止めとなる、又袋の空気流れによる、しわ作りを、防いでいる。
基板３１の左部分には、ワイヤー２９が、基板３１に固定された滑車３４を経て、空気袋に小さな穴の上下に板材３３を挟んで、ビス・ナットに、パッキングを入れ、固く締め付ける。使用したビスには、径２・３の貫通穴３６が開けられ、穴３３に太さ２ミリの、ワイヤーが通って、円形押圧板３７の中心部に、結び固定され、下位置にも、同じ型の円盤が固定される。今どちらかの、モーターが始動、ワイヤーが、押圧板３７が空気袋の空気を、反対袋に、押し出し、バランスの変化で、後は患者さん自体の、重さで反対傾斜になる。本用具の使用時のおの々の、袋の空気量は７・３位い。
【図面の簡単な説明】
【００２０】
【図１】本発明の実施形態を示す、全体の平面図
【図２】本発明の内容の部材の配置をしめした、患者の傾斜寝
【図３】背負い具にマジックテープの片面をつけた図
【図４】本発明の全体平面の二つ同作動の一作動の、拡大図
【図５】図４の側面図一部拡大図
【符号の説明】
【００２１】６、マジックテープを患者を、用具の中心位置に、保てる発明。
３１、に取り付けられた、部材に依って、新しい床ずれ防止手段が形成した。
【図１】
2008259782.tif 000003
【図２】
2008259782.tif 000004
【図３】
2008259782.tif 000005
【図４】
2008259782.tif 000006
【図５】
2008259782.tif 000007